(57)【要約】【課題】圧力損失及び騒音を発生させることなく気流の吹出方向を変更できるサーキュレータを得ること。【解決手段】天井面又は壁面に固定されるベースプレート１と、回転によって気流を発生させるファン２１と、ファン２１が配置されるケーシング２２と、ケーシング２２に装着されて、気流の吸込口及び吹出口を形成するファンガード２３とで構成されファン２１の回転の軸と交差する方向に気流を吹き出すクロスフローファンを有する風路部２と、ベースプレート１から突出し、風路部２を回動可能に風路部２の一端部を支持する第１支持部３と、ベースプレート１から突出し、風路部２を回動可能に風路部２の他端部を支持する第２支持部４と、第１支持部３に収容され、ファン２１を回転させるファンモータ３１と、第２支持部４に収容され、風路部２を回動させる風路部駆動モータ４３とを備える。【選択図】図６
2019035555.tif 000002
【特許請求の範囲】
【請求項１】
天井面又は壁面に固定されるベースプレートと、
回転によって気流を発生させるファンと、前記ファンが配置されるケーシングと、前記ケーシングに装着されて、前記気流の吸込口及び吹出口を形成するファンガードとで構成され前記ファンの回転の軸と交差する方向に気流を吹き出すクロスフローファンを有する風路部と、
前記ベースプレートから突出し、前記風路部を回動可能に前記風路部の一端部を支持する第１支持部と、
前記ベースプレートから突出し、前記風路部を回動可能に前記風路部の他端部を支持する第２支持部と、
前記第１支持部に収容され、前記ファンを回転させるファンモータと、
前記第２支持部に収容され、前記風路部を回動させる風路部駆動モータとを備えることを特徴とするサーキュレータ。
【請求項２】
前記ベースプレートは矩形状であり、
前記風路部は、前記ベースプレートの短辺が延びる方向において、前記ベースプレートの一方の長辺側から前記ベースプレートと平行に気流を吹き出す第１の回動位置と、前記ベースプレートの他方の長辺側から前記ベースプレートと平行に気流を吹き出す第２の回動位置との間で回動することを特徴とする請求項１に記載のサーキュレータ。
【請求項３】
前記第１支持部は、運転状態を表示する表示部を有し、
前記表示部は、前記第１支持部に着脱可能であり、中心を通る軸を回転軸にした２回対称の回転対称形状であることを特徴とする請求項１又は２に記載のサーキュレータ。
【請求項４】
前記第１支持部及び前記第２支持部は、前記ベースプレートと前記ケーシングとの間にクリアランスを有する状態で前記風路部を支持することを特徴とする請求項１から３のいずれか１項に記載のサーキュレータ。
【発明の詳細な説明】
【技術分野】
【０００１】
本発明は、クロスフローファンで気流を発生させるサーキュレータに関する。
【背景技術】
【０００２】
室内の空気を強制的に循環させるサーキュレータは、冷暖房効率を高めるために用いられる。天井面に据え付けられ、筐体内に収容したクロスフローファンで気流を発生させるサーキュレータは、天井面と平行又は垂直といった単一方向に気流を吹き出すように筐体内に風路が形成されている。
【０００３】
特許文献１に開示されるサーキュレータは、吹出口に設置したルーバの向きを変えることで、下向きにも気流を吹き出せるようにしている。
【先行技術文献】
【特許文献】
【０００４】
【特許文献１】実開昭６３−６６７２８号公報
【発明の概要】
【発明が解決しようとする課題】
【０００５】
しかしながら、特許文献１に開示されるサーキュレータは、筐体内の風路そのものは天井面と平行に気流を吹き出す構造であり、気流をルーバに吹き当てて強制的に向きを変えるため、圧力損失及び騒音が発生する原因となる。
【０００６】
本発明は、上記に鑑みてなされたものであって、圧力損失及び騒音を発生させることなく気流の吹出方向を変更できるサーキュレータを得ることを目的とする。
【課題を解決するための手段】
【０００７】
上述した課題を解決し、目的を達成するために、本発明は、天井面又は壁面に固定されるベースプレートと、回転によって気流を発生させるファンと、ファンが配置されるケーシングと、ケーシングに装着されて、気流の吸込口及び吹出口を形成するファンガードとで構成されファンの回転の軸と交差する方向に気流を吹き出すクロスフローファンを有する風路部と、ベースプレートから突出し、風路部を回動可能に風路部の一端部を支持する第１支持部と、ベースプレートから突出し、風路部を回動可能に風路部の他端部を支持する第２支持部とを備える。本発明は、第１支持部に収容され、ファンを回転させるファンモータと、第２支持部に収容され、風路部を回動させる風路部駆動モータとを備える。
【発明の効果】
【０００８】
本発明によれば、圧力損失及び騒音を発生させることなく気流の吹出方向を変更できるサーキュレータを得られるという効果を奏する。
【図面の簡単な説明】
【０００９】
【図１】本発明の実施の形態１に係るサーキュレータの斜視図
【図２】実施の形態１に係るサーキュレータの断面図
【図３】実施の形態１に係るサーキュレータの断面図
【図４】実施の形態１に係るサーキュレータの断面図
【図５】実施の形態１に係るサーキュレータの断面図
【図６】実施の形態１に係るサーキュレータの分解斜視図
【図７】本発明の実施の形態２に係るサーキュレータの斜視図
【図８】実施の形態２に係るサーキュレータの表示部の拡大図
【発明を実施するための形態】
【００１０】
以下に、本発明の実施の形態に係るサーキュレータを図面に基づいて詳細に説明する。なお、この実施の形態によりこの発明が限定されるものではない。
【００１１】
実施の形態１．
図１は、本発明の実施の形態１に係るサーキュレータの斜視図である。実施の形態１に係るサーキュレータ１００は、天井面又は壁面に固定される矩形状のベースプレート１と、クロスフローファンを備えた風路部２と、ベースプレート１から突出して風路部２を支持する第１支持部３及び第２支持部４とを有する。
【００１２】
図２、図３及び図４は、実施の形態１に係るサーキュレータの断面図である。風路部２は、回転することによって気流を発生させるファン２１と、ファン２１が配置されるケーシング２２と、ケーシング２２に装着されてファン２１を覆うファンガード２３とを有する。ファンガード２３は、ファン２１の回転の軸に沿って延びる吸込口２４及び吹出口２５をケーシング２２との間に形成し、ファン２１が発生させた気流を吹出口２５へ導く整流板部２３１を有する。また、ファンガード２３は、吹出口２５を覆うグリル部２３２と、吸込口２４を覆うガード部２３３とを有する。ファン２１、ケーシング２２及び整流板部２３１は、ファン２１の回転の軸と交差する方向に気流を吹き出すクロスフローファンを構成している。ガード部２３３は、円筒を軸に沿って切断した半円筒状であり、パンチング加工がなされている。サーキュレータ１００の外部の空気は、パンチング穴を通じて吸込口２４からクロスフローファンに取り込まれる。なお、ガード部２３３は、格子状又は網状であってもよい。
【００１３】
風路部２は、第１支持部３及び第２支持部４によって回動可能に支持されている。風路部２は、ベースプレート１の短辺が延びる方向において、ベースプレート１の一方の長辺１１側からベースプレート１と平行に気流を吹き出す第１の回動位置と、ベースプレート１の他方の長辺１２側からベースプレート１と平行に気流を吹き出す第２の回動位置との間で回動可能である。風路部２は、第１の回動位置から第２の回動位置へ回動する際、又は第２の回動位置から第１の回動位置に回動する際には、ベースプレート１に垂直に気流を吹き出す第３の回動位置を経る。なお、図２は、風路部２が第１の回動位置にある状態を示しており、図３は、風路部２が第２の回動位置にある状態を示しており、図４は、風路部２が第３の回動位置にある状態を示している。
【００１４】
風路部２は、第１の回動位置と第２の回動位置との間であれば、第３の回動位置とは異なる回動位置に配置することもできる。図５は、実施の形態１に係るサーキュレータの断面図である。図５は、ベースプレート１の面内方向に対して斜め方向に気流を吹き出す状態となる回動位置に風路部２を回動させた状態を示している。
【００１５】
図６は、実施の形態１に係るサーキュレータの分解斜視図である。第１支持部３には、クロスフローファンを駆動するファンモータ３１が設置されている。ファンモータ３１は、モータ固定具３２でベースプレート１に固定される。また、第１支持部３は、ファン２１の第１支持部３側の端部２１１に設置されるケーシング軸３３と、ケーシング軸３３を回転可能に支持する第１ケーシング軸受３４とを備える。第１ケーシング軸受３４は、ベースプレート１に固定される。第１支持部３には、ファンモータ３１及び後述する風路部駆動モータ４３を駆動する制御部３５が設置されている。ファンモータ３１及び制御部３５は、分割構造のカバー３６，３７，３８で覆われている。
【００１６】
第２支持部４には、風路部２を回動させる風向調整機構が収容されている。風向調整機構は、ケーシング２２の第２支持部４側の端部２２１に取り付けられるケーシングギヤ４１と、ベースプレート１に固定され、ケーシングギヤ４１を回転可能に支持する第２ケーシング軸受４２と、ステッピングモータである風路部駆動モータ４３と、風路部駆動モータ４３のシャフトに固定される駆動モータギヤ４４と、ケーシングギヤ４１を覆うギヤカバー４５とで構成される。ケーシングギヤ４１は、外周に歯が形成されている。風路部駆動モータ４３は、ケーシングギヤ４１を覆うギヤカバー４５を介して第２ケーシング軸受４２に固定される。したがって、風路部駆動モータ４３は、ギヤカバー４５及び第２ケーシング軸受４２を介して間接的にベースプレート１に固定されている。ケーシングギヤ４１及び駆動モータギヤ４４は、噛み合った状態でカバー４６によって覆われる。風路部駆動モータ４３にパルス電圧を印加すると、パルスの数の分シャフトが回動し、駆動モータギヤ４４及びケーシングギヤ４１の歯を介してケーシング２２に回転力が伝達され、風路部２が回動する。風路部２が回動することにより、吹出口２５の向きが変化し、気流の吹出方向も変化する。
【００１７】
第１支持部３及び第２支持部４は、ベースプレート１との間にクリアランスがある状態で風路部２を支持している。風路部２が第２の回動位置にあるとき、ガード部２３３は、ベースプレート１と対向するが、クリアランスがあるため、吸込口２４からの空気の取り込みに支障を来すことはない。
【００１８】
天井面にサーキュレータ１００を設置することにより、サーキュレータ１００は、天井付近に滞留する空気を天井面と平行、斜め下又は真下に送り、室内の空気の循環を促すことができる。また、壁面にサーキュレータ１００を設置することにより、サーキュレータ１００は、壁面付近の空気を壁面と平行、垂直又は斜めに送り、室内の空気の循環を促すことができる。
【００１９】
天井面に機器を設置した場合には、天井面への固定箇所に概ね均等に自重が加わるが、壁面に機器を設置した場合には、重心よりも上側となる壁面への固定箇所に加わる力と、重心よりも下側となる壁面への固定箇所に加わる力とが均一になるとは限らない。実施の形態１に係るサーキュレータ１００は、ベースプレート１が、長辺１１，１２の片側だけを壁面に固定した場合でもサーキュレータ１００の自重を支える強度を有しており、ベースプレート１の破損が原因でサーキュレータ１００が壁面から脱落することは防止される。
【００２０】
実施の形態１に係るサーキュレータ１００は、気流の吹出方向を変更しても風路の構造は変化しない。したがって、実施の形態１に係るサーキュレータ１００は、圧力損失及び騒音を発生させることなく気流の吹出方向を変更することができる。
【００２１】
実施の形態２．
図７は、本発明の実施の形態２に係るサーキュレータの斜視図である。実施の形態２に係るサーキュレータ１００は、運転状態を示す表示部３９が第１支持部３に設けられている点で、実施の形態１と相違する。表示部３９が示す運転状態とは、電源のオンオフ、風量及びスイングのオンオフといった状態であるが、表示部３９はこれら以外の状態を表示してもよい。
【００２２】
図８は、実施の形態２に係るサーキュレータの表示部の拡大図である。表示部３９は、カバー３６，３７，３８に対して着脱可能であり、かつカバー３６，３７，３８との係合部分を含めて、表示部３９の中心を通る軸Ａを中心軸にした２回対称の回転対称形状となっている。したがって、カバー３６，３７，３８から取り外した表示部３９は、１８０度回転させて向きを反転させた状態でカバー３６，３７，３８に取り付けることができる。
【００２３】
視認性を確保するために、表示部３９はある程度の大きさが必要である。したがって、表示部３９を設けた第１支持部３は、小型化を図る上で表示部３９の大きさによる制約が生じる。一方、表示部３９を持たない第２支持部４は小型化を図る上で表示部３９の大きさによる制約がない。したがって、第１支持部３に表示部３９を設けたサーキュレータ１００は、第１支持部３の大きさと第２支持部４の大きさとが異なる構造となる可能性がある。実施の形態２に係るサーキュレータ１００は、第１支持部３が左になる姿勢で設置する場合と、右になる姿勢で設置する場合とのどちらの場合でも、表示部３９を正しい向きにできるため、表示部３９の視認性を損なうことがない。天井面の壁際に設置する場合も同様に、実施の形態２に係るサーキュレータ１００は、表示部３９の視認性が損なわれることを防止できる。
【００２４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２５】
１  ベースプレート、２  風路部、３  第１支持部、４  第２支持部、１１，１２  長辺、２１  ファン、２２  ケーシング、２３  ファンガード、２４  吸込口、２５  吹出口、３１  ファンモータ、３２  モータ固定具、３３  ケーシング軸、３４  第１ケーシング軸受、３５  制御部、３６，３７，３８，４６  カバー、３９  表示部、４１  ケーシングギヤ、４２  第２ケーシング軸受、４３  風路部駆動モータ、４４  駆動モータギヤ、４５  ギヤカバー、１００  サーキュレータ、２１１，２２１  端部、２３１  整流板部、２３２  グリル部、２３３  ガード部。
【図１】
2019035555.tif 000003
【図２】
2019035555.tif 000004
【図３】
2019035555.tif 000005
【図４】
2019035555.tif 000006
【図５】
2019035555.tif 000007
【図６】
2019035555.tif 000008
【図７】
2019035555.tif 000009
【図８】
2019035555.tif 000010